(57)【要約】【課題】従来の蛍光管は空間演出性と安全性が低いことから、ＬＥＤ光源を内蔵した円筒形のシリコーンゴムチューブを使用して、外面を美しく飾ったり、または、かざりそのものとしての装飾性と、割れて飛散することがない安全性や、漏電対策を有した照明装置を提供する。【解決手段】外殻シリコーンゴムチューブ２と内殻シリコーンゴムチューブ３は、可撓性を有する筒のため自由に形状を変えることができるという装飾性があり、割れるということへの抑止効果も高めた。さらに内殻シリコーンゴムチューブ３へＬＥＤ光源５と滑石鉱物粉７を同時封入することで、内殻シリコーンゴムチューブ３の密閉内に発生する結露を滑石鉱物粉７の微細な粒子によって毛細管現象を誘発させ、滑石鉱物粉７に結露を自然吸水させて湿度調整を促す役割とした。【選択図】図３
2020140948.tif 000002
【特許請求の範囲】
【請求項１】
円筒形のシリコーンゴムチューブにＬＥＤ光源を内蔵した照明装置。
【請求項２】
外殻にシリコーンゴムチューブを使用することでフレキシブルに形状調整可能なことを特徴とする請求項１に記載の照明装置。
【請求項３】
内殻のシリコーゴムチューブにＬＥＤ光源を挿入し光りの拡散性能向上を図ったことを特徴とする請求項１に記載の照明装置。
【請求項４】
内殻のシリコーンゴムチューブに挿入するＬＥＤ光源はヒートシンク材とセットとなったことを特徴とする請求項３に記載の照明装置。
【請求項５】
内殻のシリコーンゴムチューブはＬＥＤ光源を保護する目的でもある請求項３に記載の照明装置。
【請求項６】
外殻と内殻のシリコーンゴムチューブの光拡散性を向上させるため中間層に光拡散材を挟むことで円筒形３６０度を発光させることを特徴とする請求項１に記載の照明装置。
【請求項７】
外殻のシリコーンゴムチューブ両端部をシリコーン材でシール接合した外形リング型を特徴とした請求項１に記載の照明装置。
【請求項８】
内殻のシリコーンゴムチューブ内にＬＥＤ光源と滑石鉱物粉を同時に封入したことを特徴とする請求項３に記載の照明装置。
【発明の詳細な説明】
【技術分野】
【０００１】本発明は、形状固定された蛍光管型照明を自由な形状に調整可能にした円筒形の屋内又は屋外の照明に関する。
より詳しくは、  シリコーンゴムチューブを使用することで円筒形が十分保形されて耐久性があり、全体が可撓性を有する３６０°全方向に発光する照明装置に関するものである。
【背景技術】
【０００２】従来の蛍光管は、形状が固定されたものが主流であり、蛍光管単体でのデザイン的な装飾性を向上させることに限界があった。【０００３】また、従来の蛍光管は、ガラス管等を有する脆弱な一面を持ち、落下等の事象において、安全性に欠けているのが現状である。【０００４】さらに、屋外に露出した蛍光管は防水性に著しく欠け、完全に防水することで発生する結露からの漏電は免れることのできない事実であった。
【先行技術文献】
【特許文献】
【０００５】
【特許文献１】特開平１１−１０３０９５号公報
【発明の概要】
【発明が解決しようとする課題】
【０００６】従来の蛍光管は空間演出性と安全性が低いことに問題があった。【０００７】本発明は、以上のような背景を元になさたものである。
すなわち、本発明は、何かの外面を美しく飾ったり、または、かざりそのものとしての装飾性と割れて飛散することがない安全性や漏電対策を有した照明装置を提供することを目的とする。
【課題を解決するための手段】
【０００８】かくして、本発明者は、このような問題点に対して鋭意研究を重ねた結果、シリコーンゴムチューブを使用することで装飾性と安全性が高まることを見出し、この知見に基づいて本発明を完成させたものである。【０００９】すなわち、本発明は、（１）、円筒形のシリコーンゴムチューブにＬＥＤ光源を内蔵した照明装置に存する。【００１０】すなわち、本発明は、（２）、外殻にシリコーンゴムチューブを使用することでフレキシブルに形状調整が可能になった上記（１）に記載の照明装置に存する。【００１１】すなわち、本発明は、（３）、内殻のシリコーンゴムチューブにＬＥＤ光源を挿入し、光りの拡散性能向上を図ったことからなる上記（１）に記載の照明装置に存する。【００１２】すなわち、本発明は、（４）、内殻のシリコーンゴムチューブに挿入するＬＥＤ光源はヒートシンク材とセットとなったことからなる上記（３）に記載の照明装置に存する。【００１３】すなわち、本発明は、（５）、内殻のシリコーンゴムチューブはＬＥＤ光源を保護することからなる上記（３）に記載の照明装置に存する。【００１４】すなわち、本発明は、（６）、外殻と内殻のシリコーンゴムチューブの光拡散性を向上させるため中間層に光拡散材を挟むことで円筒形３６０度を発光させることからなる上記（１）に記載の照明装置に存する。【００１５】すなわち、本発明は、（７）、外殻のシリコーンゴムチューブ両端部をシリコーン材でシール接合した外形リング型からなる上記（１）に記載の照明装置に存する。【００１６】すなわち、本発明は、（８）、内殻のシリコーンゴムチューブ内にＬＥＤ光源と滑石鉱物粉を同時に封入したことからなる上記（３）に記載の照明装置に存する。
【発明の効果】
【００１７】本発明は、外殻と内殼にシリコーンゴムチューブを使用し、全体に可撓性を有することで、自由な形状でかつ、３６０°全方向に発光できる装飾効果を奏する。【００１８】さらにシリコーンゴムチューブは円筒形を十分に保形し、耐久性があることあから、脆弱性を回避した効果を奏する。【００１９】また、本発明における内殻シリコーンゴムチューブへＬＥＤ光源と滑石鉱物粉を同時封入することで、内殻シリコーンゴムチューブの密閉内に発生する結露を滑石鉱物粉の微細な粒子によって毛細管現象を誘発させ、滑石鉱物粉に結露を自然吸水させて湿度調整の効果を奏する。
【図面の簡単な説明】
【００２０】
【図１】図１は、本発明の円筒形のシリコーンゴムチューブにＬＥＤ光源を内蔵した照明装置を俯瞰した図である。（図１−ａ・図１−ｂ・図１−ｃ）
【図２】図２は、図１の円筒形のシリコーンゴムチューブにＬＥＤ光源を内蔵した照明装置の断面構造を示す説明図である。
【図３】図３は、図２の断面構造図のうち、内殻シリコーンゴムチューブ部の断面構造を示す説明図である。
【図４】図４は、外殻シリコーンゴムチューブの両端部の接合方法を示す説明図である。
【図５】図５は、外殻シリコーンゴムチューブの両端部を接合した図である。
【発明を実施するための形態】
【００２１】以下は本発明を実施するための形態について図面を用いて説明する。図１は、本発明の円筒形のシリコーンゴムチューブにＬＥＤを内蔵した照明装置を俯瞰的に見た図である。図１−ａは、サークル状に接合された吊り下げ照明として。図１−ｂは、何かの外面を美しく光らせるための照明として。例えば、鏡１、を光らせるものとして。図１−ｃは、かざりそのものとして。
【００２２】図２は、外殻シリコーンゴムチューブ２、と内殻シリコーンゴムチューブ３、光拡散材４、を断面に示した図である。外殻シリコーンゴムチューブの外径はたとえば、φ３０ｍｍ、φ４０ｍｍ、φ５０ｍｍ、φ６０ｍｍ程度とする。光拡散材はたとえば、ジュラコン材や乳半アクリル材や発砲ポリエステル材などの光透過性と光拡散性の両方を兼ね備えたものとする。
【００２３】図３は、内殻シリコーンゴムチューブ３、ＬＥＤ光源５、ヒートシンク材６、滑石鉱物粉７、からなる詳細な断面構造図である。ＬＥＤ光源は、たとえば、ＬＥＤテープライトがそれに相当する。ヒートシンク材の材質は、たとえば、アルミニウムやステンレス、鉄がそれに相当する。
【００２４】図４は、外殻シリコーンゴムチューブ２、の両端部を接合する方法を示した図である。外殻シリコーンゴムチューブ２、の内空断面内にソケット管８、に支持する接合方法を示した図である。ソケット管の材質は、たとえば、塩ビ管、透明ホース、ポリカパイプがそれに相当する。
【００２５】図５は、シリコーン樹脂９、によるシール処理後の接合を示した図である。
【符号の説明】
【００２６】１  鏡
２  外殻シリコーンゴムチューブ
３  内殻シリコーンゴムチューブ
４  光拡散材
５  ＬＥＤ光源
６  ヒートシンク材
７  滑石鉱物粉
８  ソケット管
９  シリコーン樹脂（シール処理）
【図１】
2020140948.tif 000003
【図２】
2020140948.tif 000004
【図３】
2020140948.tif 000005
【図４】
2020140948.tif 000006
【図５】
2020140948.tif 000007